(57)【要約】【課題】高い洗浄性を有すると共に、洗い残しが無く、被洗浄面に傷を付ける事が無く、かつ、洗い上がりの優れた洗車機用洗浄ブラシを提供する。【解決手段】自動車洗浄用あるいは車両洗浄用の洗車機用洗浄ブラシにおいて、前記洗車機用洗浄ブラシは、軸体、及びブラシ体を有すると共に、前記ブラシ体は、前記軸体が貫通されてあると共に、前記軸体の外周面に取付部にて装着されてあり、前記取付部は、前記軸体の長手方向にたいして位相差を有して、複数個形成されてあるものである。【選択図】      図１
2007082983.tif 000002
【特許請求の範囲】
【請求項１】
自動車洗浄用あるいは車両洗浄用の洗車機用洗浄ブラシにおいて、前記洗車機用洗浄ブラシは、軸体、及びブラシ体を有すると共に、前記ブラシ体は、前記軸体が貫通されてあると共に、前記軸体の外周面に取付部にて装着されてあり、前記取付部は、前記軸体の長手方向にたいして位相差を有して、複数個形成されてあることを特徴とする洗車機用洗浄ブラシ。
【請求項２】
請求項１記載の構成よりなる洗車機用洗浄ブラシにおいて、前記位相差は複数有していることを特徴とする洗車機用洗浄ブラシ。
【請求項３】
駆動源、被洗浄面に散布する洗浄剤、水を噴出させるノズル、及び洗浄後の被洗浄面を乾燥させる乾燥手段を備えると共に、請求項１から２記載の前記洗車機用洗浄ブラシが搭載されてある洗車機。
【発明の詳細な説明】
【技術分野】
【０００１】  本発明は、自動車あるいは車両の外面の被洗浄面に付着した汚れ等を洗浄する為の洗車機に使用する洗浄ブラシ、及び洗浄ブラシを搭載した洗車機に関するものである。
【背景技術】
【０００２】  自動車あるいは車両の外面の被洗浄面に付着した汚れ等を洗浄する為の洗車機に使用する洗浄ブラシ及び洗車機に関しては、例えば、特開平９−１７５３４６号公報においては、車両洗浄体ユニットが提示されてある。前記車両洗浄体ユニットにおいてはブラシ体の形成が容易に行なえ、またブラシ単体の取付け作業が簡単、且つ迅速に行なえ軸体に穴あけすることなく、軸体の強度を低下させることなく、各ブラシ体が軸体にたいし周方向と段方向に整然と揃え順次積層されて構成されてある。そして、ブラシ体を布製にすることで、回転時のブラシ体間に一定の隙間を確保することにより、保水率の向上が得られると共に、ソフトで好適な洗浄が行なえ、さらにブラシ体が被洗浄面に当たる音を小さくしてソフト感を得ている。また、被洗浄方向が横一方向の洗浄作業となっている。また、例えば、特開２００３−４８５２０号公報においては、車両洗浄体ユニットは軸体にブラシ体を螺旋状に組付ける構成方法がなされてあり、洗浄方向は、斜傾方向に変化させ、より洗浄性を高めると共に保水性を保ち布製特有の柔軟性を具え、洗浄性が高いという特徴を有する車両洗浄体ユニットが開示されてある。【０００３】  しかしながら、上記特開平９−１７５３４６号に開示されてある従来のブラシ体は、長方形状に形成した布製のブラシ体を使用し、長手方向の両端を一体化して筒状に形成し、且つ長手方向の複数箇所に、長手方向で折り畳むことで、ブラシ体に腰を維持させ洗浄性を高めると共に、洗浄面が小さいながらも連続した洗浄が出来るが、取付部の回転時の軌跡が一つのみである為、被洗浄体にたいして洗浄方向が横一方向のみの洗浄である。また、ブラシ体間に隙間が生じることで、回転進行方向帯状の洗い残しができていた。【０００４】  また、上記特開２００３−４８５２０号に開示されてある前記洗浄体は、布製ブラシ体とスポンジ製ブラシ体を軸心方向に交互に配置された形式があり、布製ブラシ体をスポンジ製ブラシ体で両側から規制して、布製ブラシ体の波打ち形状を抑制しているが、洗浄方向が傾斜した横一方向のみの洗浄である。【０００５】
【特許文献１】  特開平９−１７５３４６号公報
【特許文献２】  特開２００３−４８５２０号公報
【発明の開示】
【発明が解決しようとする課題】
【０００６】  従来の洗車機用洗浄ブラシは、例えば、上記の如くの各種の特徴を有する技術が開示されてあるが、織布あるいは不織布の長所である良好な柔軟性、及びボリューム感を維持させつつ、短所である被洗浄面にたいする、ブラシ体の押付圧、車体形状によるブラシ洗浄面の逃げを改善することが求められていた。また、布の長所である被洗浄面にたいする傷の付けにくさを維持させつつ、短所である洗い残しの多さを改善することが求められていた。【０００７】  本発明は、上記従来の課題を解決するもので、被洗浄面にたいして順次、傾斜角度の異なるさまざまな方向からの洗浄を行なえるようにすると共に、洗い残しが無く、被洗浄面に傷を付ける事が無い、洗い上がりの優れた洗車機用洗浄ブラシを提供することを目的としている。
【課題を解決するための手段】
【０００８】  自動車洗浄用あるいは車両洗浄用の洗車機用洗浄ブラシにおいて、前記洗車機用洗浄ブラシは、軸体、及びブラシ体を有すると共に、前記ブラシ体は、前記軸体に貫通されてあると共に、前記軸体の外周面に取付部にて装着されてあり、前記取付部は、前記軸体の長手方向にたいして位相差を有して、複数個形成されてあることを特徴とする洗車機用洗浄ブラシである。【０００９】  請求項１記載の構成よりなる洗車機用洗浄ブラシにおいて、前記位相差は複数有していることを特徴とする洗車機用洗浄ブラシである。【００１０】  駆動源、被洗浄面に散布する洗浄剤、水を噴出させるノズル、及び洗浄後の被洗浄面を乾燥させる乾燥手段を備えると共に、請求項１から２記載の洗車機用洗浄ブラシが搭載されてある洗車機である。
【発明の効果】
【００１１】  本発明の洗車機用洗浄ブラシを構成するブラシ体が軸体に貫通されてあると共に、前記軸体にたいする取付部の位相差が複数個になるよう形成されてある為、被洗浄面にたいして、順次、傾斜角度の異なるさまざまな方向から洗浄を実施できる。その為、被洗浄面に汚れ等が強固に付着している時でも、汚れを掻き出して強力に除去できる。
【発明を実施するための最良の形態】
【００１２】  第１の発明は、前記洗車機用洗浄ブラシは、軸体及びブラシ体を有すると共に、前記ブラシ体は、前記軸体に貫通されてあると共に、前記軸体にたいする前記ブラシ体の取付部は位相差が複数としたもので、複数の回転時の位相差を有する取付部がブラシ体を被洗浄面にたいして、同一方向のみならず異なる複数の方向からブラシ体を被洗浄面に接触させることができる。【００１３】  第２の発明は、前記位相差を複数有してあるものとしたもので、順次、傾斜角度の異なるさまざまな方向からの洗浄を実施できる。その為、被洗浄面に汚れ等が強固に付着している時でも、汚れを掻き出して、強力に除去できる。【００１４】  第３の発明は、駆動源、被洗浄面に散布する洗浄剤、水を噴出させるノズル、及び洗浄後の被洗浄面を乾燥させる乾燥手段を備えると共に、第１から第２の発明の洗浄ブラシを備えたもので、洗浄性能の優れた洗車機を提供することができる。
【実施例１】
【００１５】  図１から図６にて実施例１を示す。図１は、本発明の洗車機用洗浄ブラシを前面側から見た斜視図である。図１において、１１は固定具、１２はボルト、１３、１４は止め具、１８はリベット、１９はスペーサー、２０は軸体、２１、３１、４１はブラシ体、２２は洗車機用洗浄ブラシ、２５は取付部である。図２は、図１の洗浄ブラシの正面図である。図２において、４は折畳み部、１５、１７は止め具、５０は位相差である。図３は、ブラシ体の取付状態を示す断面図である。図３において、１６は止め具である。図４は、ブラシ単体の斜視図である。図４において、１はブラシ単体、２は固定用孔、３は縫製部である。図５は、図１の洗浄ブラシの側面図である。図６は、図５のＡ−Ａ、Ｂ−Ｂ、Ｃ−Ｃ、及びＤ−Ｄ断面図である。面図である。図６は、図５のＡ−Ａ、Ｂ−Ｂ、Ｃ−Ｃ、及びＤ−Ｄ断面図である。図６において、３５、３６、３７、３８は押付力である。【００１６】  洗車機用洗浄ブラシ２２は、図１、図２の如く、固定具１１、ボルト１２、止め具１３、１４、１５、リベット１８、スペーサー１９、軸体２０、ブラシ体２１、３１，４１より構成されてある。軸体２０は、略円筒形状からなり、外周の片端部には、固定具１１がボルト１２にて４箇所、組付けられて形成されてある。また、スペーサー１９は、固定具１１の側面の対角方向２箇所に形成されてある。また、他の対角方向２箇所には、止め具１３、１６が形成されてある。また、スペーサー１９の側面には、止め具１４、１５が形成されてある。ブラシ体２１は軸体２０の長手方向で４箇所の折畳み部４を止め具１３、１４、１５、及び１６（図示せず）をリベット１８にて、かしめて止めた後、軸体２０の取付部２５に位相差５０を有して、軸体２０に挿入されてある。また、ブラシ体３１は、ブラシ体２１の止め具１３の側面に、止め具１７が形成されてあると共に、止め具１４、１５、１６の側面に、順次止め具が形成されてある。また、ブラシ体４１は前記と同じ要領にて、ブラシ体３１にたいして形成されてある。【００１７】  次に、図２から図４にて、洗浄ブラシ２２の製造方法を説明する。まず、図４の如く、長方形状に形成した布地に複数の固定用孔２を作製した後、円筒形状を形成するように端部を重ね合せた後、縫い合せる事により、縫製部３を有するブラシ単体１を作製する。次に、隣接する６箇所の固定用孔２を重ね合せて、折畳み部４を作製する。前記折畳み部４を４個作製した後、それぞれの折畳み部４の固定用孔２にたいしてリベット１８にて止め具１３、１４、１５、及び１６を固定する。次に、止め具１３、１６及び止め具１４、１５の間に位相差５０を有するよう、取付部２５に装着する。【００１８】  次に、図５及び図６にて、洗浄ブラシ２２の洗浄時における、被洗浄面にたいするブラシ体２１の洗浄状態を説明する。ブラシ体２１は、図６のＡ−Ａの如く、止め具１４、１５、１６が形成されてある時には、被洗浄面にたいして止め具１５からブラシ体２１の端部に向って、左側斜め下方に押付力３５が発生する。また、Ｂ−Ｂの如く、止め具１４、１６が形成されてある時には、被洗浄面にたいしてブラシ体２１の端部に向って、軸体２０の長手方向にたいして垂直な方向���押付力３６が発生する。また、Ｃ−Ｃの如く、止め具１３、１４、１６が形成されてある時には、被洗浄面にたいして止め具１６からブラシ体２１の端部に向って、右側斜め下方に押付力３７が発生する。また、Ｄ−Ｄの如く、止め具１３、１４が形成されてある時には、被洗浄面にたいして、前記Ｂ−Ｂの状態と同様の押付力３８が発生する。【００１９】  実施例１の洗浄ブラシ２２は、上記の如くの構成となっている為、ブラシ体２１の取付部２５は、前記軸体の長手方向にたいして位相差を有して形成されてあり、その為、被洗浄面にたいして、ブラシ体２１を、ブラシ体２１の端面に向って、左側斜め下方、軸体２０の長手方向に垂直、ブラシ体２１の端部に向って、右側斜め下方、軸体２０の長手方向に垂直となるそれぞれの押付力３５、３６、３７、３８で幅広い洗浄を順次、繰り返して接触させることができる。その為、被洗浄面の汚れにたいして、多方向からの押付力にて接触させることができ、洗い残しが無く、より細部の洗浄ができ、付着力の強い汚れを、適格に落すことができる。【００２０】  実施例１の洗車機用洗浄ブラシ２２は、上記の如くの構成となっているが、ブラシ体２１等の軸体２０にたいする取付け方法については、上記記載の方法以外にも、軸体２０にたいするブラシ体２１等の取付部２５が軸体２０の長手方向にたいして位相差を有してあるならば、例えば、止め具１３等の詳細寸法、形状、折畳み部４の形成状態等、適時、設定できる。また、止め具１３等の取付状態については、前記の如く、位相差５０を有する状態以外にも、例えば、止め具１３と１４の間、止め具１４と１６の間、及び止め具１６と１５の間の位相差の合計が止め具１３と１５の間の位相差と等しくなる様、複数の位相差を有する様に形成することもできる。また、軸体２０へのブラシ体２１等の取付方法は、止め具を使用する事無く、リベット等にてブラシ体２１等を軸体２０へ直接止める方法も採用できる。さらにまた、ブラシ単体１の端部をリング状の止め具に縫い合せた後、軸体の長手方向にたいして傾斜角度を有して、軸体に装着する等、他の方法も採用できる。
【実施例２】
【００２１】  図７にて実施例２を示す。図７は、本発明の洗車機用洗浄ブラシが搭載されてある洗車機の正面図である。図７において、２２は洗車機用洗浄ブラシ、５１は洗車機、５２は駆動源、５３はノズル、５４は乾燥機である。【００２２】  洗車機５１は、洗車機用洗浄ブラシ２２が搭載されてあり、前記洗車機用洗浄ブラシ２２は駆動源５２により回転される。ノズル５３からは、被洗浄面にたいして、洗浄剤、及び水が散布され、前記洗車機用洗浄ブラシ２２により洗浄され、洗浄後は、乾燥機５４等の乾燥手段により被洗浄面が乾燥される。【００２３】  実施例２の洗車機５１は、上記の如くの構成となっているので、駆動源５２と、被洗浄面に散布する洗浄剤、及び水を噴出させるノズル５３と、洗浄後の被洗浄面を乾燥させる乾燥機５４等の乾燥手段を備えると共に、上記実施例１に記載の前記洗車機用洗浄ブラシ２２が搭載されてある。その為、前記洗車機用洗浄ブラシ２２は、上記の如く、被洗浄面にたいして、異なる複数の方向から接触させることができる為、洗車機５１は、被洗浄面に汚れ等が強固に付着している時でも汚れを掻き出して、強力に除去できる。
【産業上の利用可能性】
【００２４】  本発明の洗車機用洗浄ブラシ及び洗車機は、主に、自動車あるいは車両の外面の被洗浄面に付着した汚れ等を洗浄する為の洗車機に搭載する洗浄ブラシ及び洗車機として使用する。
【図面の簡単な説明】
【００２５】
【図１】  本発明の洗車機用洗浄ブラシを前面側から見た斜視図
【図２】  図１の洗浄ブラシの正面図
【図３】  ブラシ体の取付状態を示す断面図
【図４】  ブラシ単体の斜視図
【図５】  図１の洗浄ブラシの側面図
【図６】  図５のＡ−Ａ、Ｂ−Ｂ、Ｃ−Ｃ、及びＤ−Ｄ断面図
【図７】  本発明の洗車機用洗浄ブラシが搭載されてある洗車機の正面図
【符号の説明】
【００２６】  １  ブラシ単体
２  固定用孔
３  縫製部
４  折畳み部
１１  固定具
１２  ボルト
１３、１４、１５、１６、１７  止め具
１８  リベット
１９  スペーサー
２０  軸体
２１、３１、４１  ブラシ体
２２  洗車機用洗浄ブラシ
２５  取付部
３５、３６、３７、３８  押付力
５０  位相差
５１  洗車機
５２  駆動源
５３  ノズル
５４  乾燥機
【図１】
2007082983.tif 000003
【図２】
2007082983.tif 000004
【図３】
2007082983.tif 000005
【図４】
2007082983.tif 000006
【図５】
2007082983.tif 000007
【図６】
2007082983.tif 000008
【図７】
2007082983.tif 000009